(57)【要約】【課題】洗濯機本体の床への振動伝達を低減させた洗濯機を提供すること。【解決手段】樹脂成形によって形成された台枠２５と、台枠２５の底部に設けられ、防振機能を備えた支持部２４と、金属板材により形成され、台枠２５上に配設された側板６とを備え、台枠２５は側板６に接触しない突出部２５ｂを有し、支持部２４は、突出部２５ｂに設けられていることにより、台枠の強度と減衰効果を両立させることが可能となり、洗濯機本体の床への振動伝達を低減できるため低振動と低騒音を実現させることができる。【選択図】図２
2012217459.tif 000002
【特許請求の範囲】
【請求項１】
樹脂成形によって形成された台枠と、
前記台枠の底部に設けられ、防振機能を備えた複数の支持部と、
金属板材により形成され、前記台枠上に配設された側板と、
前記台枠上に揺動可能に配設された水槽と、
前記水槽内に回転可能に収容された有底円筒形の洗濯槽とを備え、
前記台枠は前記側板に接触しない突出部を有し、前記支持部の少なくとも１つは前記突出部に設けられた洗濯機。
【請求項２】
前記台枠は、前記突出部と台枠本体部を有し、
前記突出部の高さは、前記台枠本体部の底面からの高さよりも低い構成とすることで、前記突出部上面において前記側板に接触しないようにした請求項１に記載の洗濯機。
【請求項３】
前記台枠は、前記突出部と台枠本体部を有し、
前記台枠本体部と前記突出部との間に隙間部を有する請求項１または２に記載の洗濯機。
【請求項４】
前記突出部は前記側板よりも正面側に設けられた請求項１〜３いずれか１項に記載の洗濯機。
【発明の詳細な説明】
【技術分野】
【０００１】
本発明は、水槽内に配設した洗濯槽又は回転ドラムを回転駆動することにより洗濯、すすぎ、脱水の各工程を実施する洗濯機に関する。
【背景技術】
【０００２】
従来、洗濯機は筐体内にサスペンション構造によって支持された水槽内で洗濯槽又は回転ドラムを回転駆動するので、特に洗濯槽又は回転ドラムを高速回転させる脱水時に、洗濯物が一方に偏った状態になっていると大きな振動が発生する。中でもドラム式洗濯機の使い勝手を向上させるために回転ドラム及びそれを収容した水槽を洗濯機筐体内に傾斜配置した斜めドラム方式のドラム式洗濯機では、回転ドラムが傾斜しているため洗濯物が低い側に集まりやすく脱水時に振動が発生しやすくなる。この振動を抑制するために、洗濯物に偏りを生じさせない構造と回転制御が実施され、発生した振動はサスペンション構造により吸収し、防振構造を備えた支持脚によって床への伝達を抑制するようにしている。
【０００３】
洗濯機筐体は一般的には樹脂成形によって形成され底部に固着した固定脚を備えた台枠上に制振鋼板等によって形成されたパネル材を箱状に組み立て、要所に補強部材を配した構造に構築される。前記台枠の固定脚には防振支持脚が取り付けられて、洗濯機の設置場所に洗濯機の振動が伝わるのを抑制している（例えば、特許文献１参照）。
【先行技術文献】
【特許文献】
【０００４】
【特許文献１】特開平１１−３０００８８号公報
【発明の概要】
【発明が解決しようとする課題】
【０００５】
しかしながら、前記従来構成のものでは、台枠を樹脂成形により形成すると、洗濯機の軽量化を図ると共に構成要素を台枠内に配してユニット化して作業性を向上させ、コストダウンを図ることができるものの、台枠上には洗濯機筐体が取り付けられるため、強度が要求されるとともに剛性が高くなる傾向にある。このため、洗濯機筐体から台枠に伝わる振動伝達を減衰させることが困難であるという課題を有していた。
【０００６】
本発明は、前記従来の課題を解決するもので、洗濯機本体の床への振動伝達を低減させた洗濯機を提供することを目的とする。
【課題を解決するための手段】
【０００７】
前記従来の課題を解決するために、本発明の洗濯機は、樹脂成形によって形成された台枠と、前記台枠の底部に設けられ、防振機能を備えた複数の支持部と、金属板材により形成され、前記台枠上に配設された側板と、前記台枠上に揺動可能に配設された水槽と、前記水槽内に回転可能に収容された有底円筒形の洗濯槽とを備え、前記台枠は前記側板に接触しない突出部を有し、前記支持部の少なくとも１つは前記突出部に設けられたものである。
【０００８】
これによって、台枠の強度と減衰効果を両立させることが可能となり、洗濯機本体の床への振動伝達を低減できるため低振動と低騒音を実現させることができる。
【発明の効果】
【０００９】
本発明の洗濯機は、台枠に弾性構造を持たせているため、床に対する洗濯機本体の振動、および上下方向の振動伝達を低減させることができるため低振動と低騒音化を実現することができる。
【図面の簡単な説明】
【００１０】
【図１】本発明の実施の形態１におけるドラム式洗濯機の構成を示す断面図
【図２】同ドラム式洗濯機の防振支持脚の取付構造を示す断面図
【図３】同ドラム式洗濯機の一部構成を示す斜視図
【発明を実施するための形態】
【００１１】
第１の発明の洗濯機は、樹脂成形によって形成された台枠と、前記台枠の底部に設けられ、防振機能を備えた複数の支持部と、金属板材により形成され、前記台枠上に配設された側板と、前記台枠上に揺動可能に配設された水槽と、前記水槽内に回転可能に収容された有底円筒形の洗濯槽とを備え、前記台枠は前記側板に接触しない突出部を有し、前記支持部の少なくとも１つは前記突出部に設けられたものである。
【００１２】
このような構成によって、台枠の強度と減衰効果を両立させることが可能となり、洗濯機本体の床への振動伝達を低減できるため低振動と低騒音を実現させることができる。
【００１３】
第２の発明は、第１の発明の洗濯機は、前記台枠が、前記突出部と台枠本体部を有し、前記突出部の高さは、前記台枠本体部の底面からの高さよりも低い構成とすることで、前記突出部上面において前記側板に接触しないようにしたものである。
【００１４】
このような構成によって、重量物の荷重がかかっている側板に接触しないので、突出部に弾性構造を持たせることができ、洗濯機本体の床への振動伝達を低減できるため低振動と低騒音を実現させることができる。
【００１５】
第３の発明は、第１または２の発明の洗濯機は、前記台枠は、前記突出部と台枠本体部を有し、前記台枠本体部と前記突出部との間に隙間部を有するものである。
【００１６】
このような構成によって、強度が求められる台枠本体部と一部が離れているので、台枠の強度と減衰効果を両立させることが可能となる。このため、洗濯機本体の床への振動伝達を低減できるため低振動と低騒音を実現させることができる。
【００１７】
第４の発明は、第１〜３のいずれか１つの発明の洗濯機は、前記突出部が前記筐体の正面側に設けられたものである。
【００１８】
このような構成によって、樹脂成形から成る部品が多い正面側に、弾性構造を有する突出部を設けることにより、洗濯機本体の床への振動伝達を低減できるため低振動と低騒音を実現させることができる。
【００１９】
以下、本発明の実施の形態１について、図面を参照しながら説明する。なお、実施の形態によって本発明が限定されるものではない。
【００２０】
（実施の形態１）
図１は、本発明の実施の形態１におけるドラム式洗濯機の構成を示す断面図である。
【００２１】
洗濯槽である回転ドラム５と、回転ドラム５を収容する水槽３とを水平方向から前面上向き方向に角度θで傾斜させて洗濯機筐体２内に配設している。洗濯機筐体２の正面を傾斜させた傾斜面に設けられた扉体８から回転ドラム５内への洗濯物の出し入れを容易にした斜めドラム形式のドラム式洗濯機１に構成されている。
【００２２】
回転ドラム５は、有底円筒形の開口部側を洗濯機筐体２の正面側に、底面側を洗濯機筐体２の背面側にして水槽３内に回転可能に収容されている。回転ドラム５の回転軸心Ｒは正面側から背面側に向けて角度θで下向き傾斜となっており、水槽３内は回転ドラム５とほぼ同角度で配置されている。
【００２３】
回転軸１５は水槽３の背面に設けられた軸受１６で軸支されている。回転軸１５には従動プーリ１８が装着され、水槽３の下面に取り付けられたドラム駆動モータ４の回転駆動軸に装着された駆動プーリ１７との間に駆動ベルト１９が架設されたベルト駆動構造に構成され、ドラム駆動モータ４によって回転ドラム５は回転駆動される。
【００２４】
回転ドラム５の周面には多数の透孔２０が形成されて水槽３内との間で水の通水および空気の通気ができるように構成されている。回転ドラム５の内周面の複数位置には撹拌突起２１が設けられ、回転ドラム５の回転により洗濯物を上方に持ち上げ、上方から落下させる叩き洗いの作用がなされるように構成されている。
【００２５】
また、水槽３は、水槽本体３ａと水槽蓋体３ｂとを連結した構造に形成され、軽量化を図ると同時に様々な構成要素の構築及び接続が容易に行い得るように樹脂成形によって形成されている。本発明の実施の形態１の構成においては、洗濯効果を向上させるために水槽３内に注水された洗剤混合水を加熱する洗濯水加熱槽１０が水槽の下部に構築され、その底面に排水口２２が開口し、内部に水加熱用のヒータ１１が装着されている。
【００２６】
水槽３は、図示しないサスペンション構造により洗濯機筐体２内に支持される。洗濯機筐体２を構成する側板６は制振鋼板等により形成されている。洗濯機筐体２は要所に補強部材、制振部材などを配している。側板６は樹脂成形されている台枠２５上に配設されており、また、水槽３は台枠２５上にダンパ（図示せず）を介して揺動可能に配設されている。台枠２５は防振機能を備えた複数の防振支持脚（支持部）２４を底部に設けている。
【００２７】
防振支持脚２４は、台枠２５の底部の隅の４箇所に設けられている。背面側に２個設けられた背面側防振支持脚２４ｂは台枠２５に直接固定された固定脚である。正面側に２個設けられた正面側防振支持脚２４ａは高さ調節機能を備えており、台枠２５の突出部２５ｂに構成されている。洗濯機筐体２は防振支持脚２４により支持されており、これによって脱水時の振動が外部に伝達することを抑制している。また、洗濯機筐体２の前方下部には取り外し可能な樹脂製の化粧カバー（図示せず）が取り付けられている。
【００２８】
図２は、本発明の実施の形態１におけるドラム式洗濯機の防振支持脚の取付構造を示す断面図である。図３は、本発明の実施の形態１における化粧カバーを取り外した状態でのドラム式洗濯機の一部構成を示す斜視図である。突出部２５ｂの高さは、台枠本体部２５ａの底面からの高さよりも低くなっており、突出部２５ｂの上面において側板６に接触しない。また、台枠本体部２５ａと突出部２５ｂとは、底面が連続しておらず、隙間部２５ｃを有する。このような構成により、突出部は弾性構造を有するため、台枠２５が樹脂成形されている場合にも、台枠２５の強度と減衰効果を両立させることが可能となり、洗濯機本体の床への振動伝達を低減できるため低振動と低騒音を実現させることができる。
【００２９】
図３に示すように、突出部２５ｂは側板６よりも正面側に設けられている。ドラム式洗濯機１の正面側は樹脂成形から成る部品が多く、回転ドラム５や錘などの重量物が多い背面側よりも負荷が小さい。よって、弾性構造を有する突出部を正面側に設けることにより、台枠２５の強度と減衰効果を両立させることが可能となり、洗濯機本体の床への振動伝達を低減できるため低振動と低騒音を実現させることができる。なお、本発明の実施の形態１において、突出部２５ｂは台枠２５の隅の構成である。しかし、側板６より正面側の構成全てを突出部としてもよく、要は重量物を支持している側板６の荷重がかからない部分であればよい。
【００３０】
以上説明した実施形態の構成は、回転ドラム５を傾斜配置した斜めドラム形式のドラム式洗濯機１に適用した例を示したが、回転ドラム５を水平方向に配置した一般的な構成のドラム式洗濯機や縦型の洗濯機においても同様に適用することができる。
【産業上の利用可能性】
【００３１】
以上のように、本発明にかかる洗濯機は、本体振動を低減することが可能となるので、洗濯機以外の回転機械の防振等として有用である。
【符号の説明】
【００３２】
１      ドラム式洗濯機
２      洗濯機筐体（筐体）
３      水槽
３ｂ    水槽蓋体
３ａ    水槽本体
４      ドラム駆動モータ
５      回転ドラム
６      側板
８      扉体
１０    洗濯水加熱槽
１１    ヒータ
１５    回転軸
１７    駆動プーリ
２２    排水口
２４    防振支持脚（支持部）
２４ａ  正面側防振支持脚
２４ｂ  背面側防振支持脚
２５    台枠
２５ａ  台枠本体部
２５ｂ  突出部
２５ｃ  隙間部
【図１】
2012217459.tif 000003
【図２】
2012217459.tif 000004
【図３】
2012217459.tif 000005